(57)【特許請求の範囲】
【請求項１】
少なくとも１本の指針を有し、該指針を回転駆動するムーブメントと、
前記ムーブメント上に重ねて設置され、光を受光することにより電力を生成し、該電力を前記ムーブメントに供給する太陽電池と、
前記太陽電池の表側に重ねて設置され、光透過性を有する文字板と、
係合することにより前記ムーブメントに対し固定される固定部を有し、リング状をなし、その表側に前記文字板が重ねて配置され、内側に前記太陽電池が配置され、前記太陽電池および前記文字板を一括して支持する枠体とを備え、
前記太陽電池は、前記太陽電池の外周部に該太陽電池が形成する平面と同一の方向に突出形成され、外周方向に沿って伸長する突部で構成された複数の太陽電池側突部を有し、
前記文字板は、前記文字板の外周部に該文字板が形成する平面と同一の方向に突出形成され、外周方向沿って伸長する突部で構成された複数の文字板側突部を有し、
前記枠体は、前記枠体の内周部に突出して、前記太陽電池と対向する面で形成され、前記ムーブメントとの間で前記各太陽電池側突部を挟持する挟持部と、前記文字板と対向する面で形成され、前記各文字板側突部が入り込む凹部とを有し、前記挟持部で前記各太陽電池側突部を挟持して、前記凹部に前記各文字板側突部が入り込むことにより、前記太陽電池および前記文字板を一括して支持を行なうことを特徴とする時計。
【請求項２】
前記枠体の前記太陽電池と対向する面で形成された前記挟持部は、前記凹部の底面と同一平面上に位置する請求項１に記載の時計。
【請求項３】
前記各太陽電池側突部は、前記太陽電池の周方向に沿って間隔をおいて配置され、
前記挟持部は、前記枠体の周方向に沿って複数配置され、該複数の挟持部には、１つの前記太陽電池側突部を挟持するものと、２つ以上の前記太陽電池側突部を挟持するものとが含まれている請求項１または２に記載の時計。
【請求項４】
前記各文字板側突部は、前記文字板の周方向に沿って間隔をおいて配置され、
前記凹部は、前記枠体の周方向に沿って複数配置され、該各凹部に、それぞれ、１つの前記文字板側突部が入り込むものである請求項１ないし３のいずれかに記載の時計。
【請求項５】
前記各凹部は、それぞれ、その前記枠体の周方向の長さが、当該凹部に入り込む文字板側突部の前記文字板の周方向の長さよりも十分に長いものである請求項４に記載の時計。
【請求項６】
前記各凹部は、それぞれ、その深さが、当該凹部に入り込む文字板側突部の厚さと同じかまたはそれよりも大きいものである請求項４または５に記載の時計。
【請求項７】
前記各文字板側突部には、それぞれ、その一部が欠損した欠損部が形成され、
前記各凹部には、それぞれ、その底部から突出し、前記欠損部に挿入されるピンが形成されており、
前記ピンには、前記枠体に対し前記文字板の面方向の位置決めをする位置決め用のものと、その位置決め状態を維持して固定する固定用のものとが含まれる請求項１ないし６のいずれかに記載の時計。
【請求項８】
前記ムーブメントに対し前記太陽電池の面方向の位置決めをする太陽電池用位置決め手段を備える請求項１ないし７のいずれかに記載の時計。
【発明の詳細な説明】
【技術分野】
【０００１】
本発明は、時計に関する。
【背景技術】
【０００２】
従来から、ムーブメント、太陽電池および文字板を有し、これらがこの順に重ねて配置された時計が知られている（例えば、特許文献１参照）。この特許文献１に記載の時計は、太陽電池が光を受光することにより、太陽電池で電力が生成され、その電力をムーブメントに供給して、指針が文字板上を回転駆動するよう構成されている。
【０００３】
特許文献１に記載の時計には、太陽電池をムーブメントに対し固定するリング状の固定部材が配置されている。この固定部材は、その内周部に突出形成され、太陽電池の縁部をムーブメントに押し付ける押し付け部を有している。そして、この押し付け部上に文字板が載置されている。このような構成では、太陽電池と文字板との間には、押し付け部が介挿されることとなり、その結果、太陽電池の受光面と文字板の裏面との間には間隙が生じてしまう。間隙が生じると、その分だけ、時計全体としての厚さが厚くなると言う問題があった。また、時計全体としての厚さが厚くなった場合には、時計厚みを薄く見せるために、カバーガラスと文字板の上面との距離を近接させると、文字板の上面に付与する加飾要素（時刻目盛やマークなど）が限定されてしまい、デザイン制約が生じてしまうことがあった。または、時計厚みを薄く見せるために、時針と分針とで時刻表示する２針式で構成することにより、デザイン制約が生じてしまうことがあった。
【先行技術文献】
【特許文献】
【０００４】
【特許文献１】特開２００１−１３２６８号公報
【発明の概要】
【発明が解決しようとする課題】
【０００５】
本発明の目的は、小型化、薄型化が図れる時計を提供することにある。
【課題を解決するための手段】
【０００６】
このような目的は、下記の本発明により達成される。
本発明の時計は、少なくとも１本の指針を有し、該指針を回転駆動するムーブメントと、
前記ムーブメント上に重ねて設置され、光を受光することにより電力を生成し、該電力を前記ムーブメントに供給する太陽電池と、
前記太陽電池の表側に重ねて設置され、光透過性を有する文字板と、
係合することにより前記ムーブメントに対し固定される固定部を有し、リング状をなし、その表側に前記文字板が重ねて配置され、内側に前記太陽電池が配置され、前記太陽電池および前記文字板を一括して支持する枠体とを備え、
前記太陽電池は、前記太陽電池の外周部に該太陽電池が形成する平面と同一の方向に突出形成され、外周方向に沿って伸長する突部で構成された複数の太陽電池側突部を有し、
前記文字板は、前記文字板の外周部に該文字板が形成する平面と同一の方向に突出形成され、外周方向沿って伸長する突部で構成された複数の文字板側突部を有し、
前記枠体は、前記枠体の内周部に突出して、前記太陽電池と対向する面で形成され、前記ムーブメントとの間で前記各太陽電池側突部を挟持する挟持部と、前記文字板と対向する面で形成され、前記各文字板側突部が入り込む凹部とを有し、前記挟持部で前記各太陽電池側突部を挟持して、前記凹部に前記各文字板側突部が入り込むことにより、前記太陽電池および前記文字板を一括して支持を行なうことを特徴とする。
これにより、小型化、薄型化が図れる。
【０００７】
本発明の時計では、前記枠体の前記太陽電池と対向する面で形成された前記挟持部は、前記凹部の底面と同一平面上に位置することが好ましい。
これにより、小型化、薄型化が確実に図れる。
本発明の時計では、前記各太陽電池側突部は、前記太陽電池の周方向に沿って間隔をおいて配置され、
前記挟持部は、前記枠体の周方向に沿って複数配置され、該複数の挟持部には、１つの前記太陽電池側突部を挟持するものと、２つ以上の前記太陽電池側突部を挟持するものとが含まれていることが好ましい。
これにより、ムーブメントに対し、太陽電池をその周方向に沿って均一に確実に押さえ付けることができ、よって、例えば振動等によって太陽電池がムーブメントから不本意に浮き上がるのをより確実に防止することができる。
【０００８】
本発明の時計では、前記各文字板側突部は、前記文字板の周方向に沿って間隔をおいて配置され、
前記凹部は、前記枠体の周方向に沿って複数配置され、該各凹部に、それぞれ、１つの前記文字板側突部が入り込むものであることが好ましい。
これにより、文字板の厚さ分を各凹部で相殺することができ、よって、時計の小型化、薄型化が図れる。
【０００９】
本発明の時計では、前記各凹部は、それぞれ、その前記枠体の周方向の長さが、当該凹部に入り込む文字板側突部の前記文字板の周方向の長さよりも十分に長いものであることが好ましい。
これにより、枠体に文字板を重ねて組み立てる際、各凹部にそれぞれ文字板側突部が容易に入り込むことができ、よって、その組立作業を容易に行なうことができる。
本発明の時計では、前記各凹部は、それぞれ、その深さが、当該凹部に入り込む文字板側突部の厚さと同じかまたはそれよりも大きいものであることが好ましい。
これにより、文字板の表側の面が枠体の表側の面よりも突出するのが防止され、よって、時計の小型化、薄型化が図れる。
【００１０】
本発明の時計では、前記各文字板側突部には、それぞれ、その一部が欠損した欠損部が形成され、
前記各凹部には、それぞれ、その底部から突出し、前記欠損部に挿入されるピンが形成されており、
前記ピンには、前記枠体に対し前記文字板の面方向の位置決めをする位置決め用のものと、その位置決め状態を維持して固定する固定用のものとが含まれることが好ましい。
これにより、枠体に対する文字板の位置決めと固定とをほぼ同時に行うことができる。
本発明の時計では、前記ムーブメントに対し前記太陽電池の面方向の位置決めをする太陽電池用位置決め手段を備えることが好ましい。
これにより、時計を使用している最中に、例えば振動等によって太陽電池がその面方向に位置ズレするのを確実に防止することができる。
【発明の効果】
【００１１】
本発明によれば、小型化、薄型化が図れる時計を提供することができる。
【図面の簡単な説明】
【００１２】
【図１】本発明の時計を腕時計に適用した場合の第１実施形態を示す斜視図である。
【図２】図１に示す腕時計に内蔵されている主な部品の分解斜視図である。
【図３】図２中の矢印Ａ方向から見た図（平面図）である。
【図４】図２中の矢印Ｂ方向から見た図（平面図）である。
【図５】図２中の矢印Ｃ方向から見た図（平面図）である。
【図６】図１に示す腕時計の部分断面図である。
【図７】図１に示す腕時計の部分断面図である。
【図８】本発明の時計を腕時計に適用した場合（第２実施形態）の当該腕時計に内蔵されている主な部品の分解斜視図である。
【図９】図８中の矢印Ｄ方向から見た図（平面図）である。
【発明を実施するための形態】
【００１３】
以下、本発明の時計を添付図面に示す好適な実施形態に基づいて詳細に説明する。
＜第１実施形態＞
図１は、本発明の時計を腕時計に適用した場合の第１実施形態を示す斜視図、図２は、図１に示す腕時計に内蔵されている主な部品の分解斜視図、図３は、図２中の矢印Ａ方向から見た図（平面図）、図４は、図２中の矢印Ｂ方向から見た図（平面図）、図５は、図２中の矢印Ｃ方向から見た図（平面図）、図６および図７は、それぞれ、図１に示す腕時計の部分断面図（図６と図７とは互いに断面の位置が異なる）である。なお、以下では、説明の都合上、図１、図２、図６および図７中（図８についても同様）の上側を「上」、「上方」または「表側」、下側を「下」、「下方」または「裏側」と言う。
【００１４】
図１に示す腕時計（以下、単に「時計」という）１は、外装部（ケース）２と、外装部２の内部に収納され、時針、分針および秒針をそれぞれ構成する３本の時計用針（指針）３１を有するムーブメント３と、時計１を腕に装着する際に用いられるバンド４とを備えている。
図６、図７に示すように、外装部２は、胴部２３と、ガラス板（カバーガラス）２１と、ガラス板２１を保持するベゼル２２と、胴部２３の裏側に設置される裏蓋２５とを有している。なお、図６、図７では、それぞれ、時計用針３１が省略されている。
【００１５】
胴部２３には、巻真パイプ（図示せず）が嵌入され、この巻真パイプに、りゅうず２４が回転可能に設けられている。りゅうず２４を回転させることにより、そのトルクがムーブメント３に伝わる。これにより、各時計用針３１が回転駆動し、よって、表示する時刻を調整することができる。
図２、図６、図７に示すように、ムーブメント３は、扁平な形状をなし、平面視で全体として丸みを帯びた（丸型）ものである。ムーブメント３は、外装部２に対し固定されている。この固定方法としては、特に限定されないが、例えば、係合、嵌合、接着等による方法を用いることができる。
【００１６】
このムーブメント３は、上方に向かって突出した軸部３３を有している。この軸部３３は、各時計用針３１を回転可能に支持するものである。また、ムーブメント３には、軸部３３を介して、各時計用針３１を回転駆動するための、歯車等で構成された駆動機構（図示せず）が内蔵されている。そして、この駆動機構は、後述する太陽電池５で得られた電力によって作動することができる。これにより、各時計用針３１がそれぞれ回転して、当該時計用針３１で現在の時刻を確認することができる。
また、図６、図７に示すように、外装部２には、ムーブメント３の他に、太陽電池５、文字板６、枠体７も収納されている。ムーブメント３、太陽電池５、文字板６、枠体７を組み立てるには、これらをムーブメント３、太陽電池５、枠体７、文字板６の順に重ねていけばよい（図２参照）。そして、この組立状態のものが外装部２に収納される。
【００１７】
図２に示すように、ムーブメント３の上面３２には、当該ムーブメント３に対し太陽電池５の位置決めをする太陽電池用位置決め手段としての一対のピン３４ａ、３４ｂが設置されている。ピン３４ａ、３４ｂは、軸部３３を介して対向配置されている。また、ピン３４ａ、３４ｂは、それぞれ、上方に向かって突出した円柱状をなす部材で構成され、その根元部３４１が太くなっている、すなわち、根元部３４１の外径が拡径している。
【００１８】
ムーブメント３上には、円盤状（板状）をなす太陽電池５が重ねて設置されている。太陽電池５は、ムーブメント３と電気的に接続されており、光を受光することにより電力を生成し、電力をムーブメント３に供給することができる。太陽電池５としては、例えば、ｐ型半導体とｎ型半導体とを重ね合わせて接合したものを用いることができる。ｐ型半導体とは、高純度のシリコン半導体にホウ素等のような３価の元素を極微量混入させたものであり、ｎ型半導体とは、高純度のシリコン半導体にヒ素等のような５価の元素を極微量混入させたものである。このような構成の太陽電池５に光が照射されると、光電効果によりシリコン内部に電子および正孔が発生する。また、ｐ型半導体とｎ型半導体との境界部にあたるｐｎ接合部では、発生した電子および正孔のうち、プラスの電荷をもった正孔はｐ型半導体側へ、マイナスの電荷をもった電子はｎ型半導体側へ分離・誘導される。これにより、各半導体がそれぞれプラスとマイナスとに帯電して、電位差が生じ、よって、電力をムーブメント３に供給することができる。なお、ｐｎ接合部付近は、空乏層となる。
なお、太陽電池５は、可撓性を有するフィルム状をなすものが好ましい。これにより、太陽電池５と文字板６とが当接した状態（図６、図７参照）であっても、これらに干渉縞が生じるのを防止することができる。
【００１９】
図２、図３に示すように、太陽電池５の中心部には、ムーブメント３の軸部３３が挿通する挿通孔５２が形成されている。
また、太陽電池５の外周部には、その周方向に沿った長尺状をなす複数（図示の構成では６つ）の太陽電池側突部５１ａ、５１ｂ、５１ｃ、５１ｄ、５１ｅ、５１ｆが突出形成されている。太陽電池側突部５１ａ〜５１ｆは、太陽電池５の周方向に沿って間隔をおいて配置され、太陽電池側突部５１ａと太陽電池側突部５１ｄとが挿通孔５２を介して対向しており、太陽電池側突部５１ｂと太陽電池側突部５１ｅとが挿通孔５２を介して対向しており、太陽電池側突部５１ｃと太陽電池側突部５１ｆとが挿通孔５２を介して対向している。このように配置された太陽電池側突部５１ａ〜５１ｆにより、枠体７で太陽電池５を押さえ付けた際に、当該太陽電池５をその周方向に沿って、均一に押さえ付けることができる。これにより、時計１を使用している最中に、例えば振動等によって太陽電池５がムーブメント３から不本意に浮き上がるのを確実に防止することができる。
【００２０】
太陽電池側突部５１ａ、５１ｄには、それぞれ、その長手方向の中央部付近が欠損した欠損部５１１が形成されている。各欠損部５１１は、それぞれ、太陽電池５の挿通孔５２側に向かって凹没するように、すなわち、平面視で「Ｕ」字状をなすように形成されている。また、各欠損部５１１の太陽電池５の周方向に沿った長さは、ピン３４ａ（ピン３４ｂ）の根元部３４１の外径とほぼ同じかまたは若干大きい。そして、ムーブメント３に太陽電池５を載置した際、太陽電池側突部５１ａの欠損部５１１には、ムーブメント３のピン３４ａが挿入され、太陽電池側突部５１ｄの欠損部５１１には、ムーブメント３のピン３４ｂが挿入される。これにより、時計１を使用している最中に、例えば振動等によって太陽電池５がその面方向に位置ズレするのを確実に防止することができる。このように、太陽電池５の各欠損部５１１と、ムーブメント３のピン３４ａ、３４ｂとは、ムーブメント３に対し太陽電池５の面方向の位置決めをする太陽電池用位置決め手段として機能する。
【００２１】
なお、太陽電池側突部５１ａ〜５１ｆの長さは、互いに同じであってもよいし、異なっていてもよい。また、太陽電池側突部５１ａ〜５１ｆは、太陽電池５の中心軸回りに等角度間隔に配置されていてもよいし、そのような配置からズレた図２、図３に示すような配置となっていてもよい。
太陽電池５の上側（表側）には、円盤状をなす文字板６が重ねて設置されている。文字板６には、例えば１から１２までの数字が付されており、各数字が時計用針３１で指される。これにより、時刻を確実に確認することできる。
【００２２】
また、文字板６のほとんどの部分は、光透過性を有して、すなわち、透明となっており、その構成材料としては、特に限定されず、例えば、各種ガラス材料、各種プラスチック材料が挙げられる。軽量、加工の容易性等の観点からプラスチック材料が好ましく、中でも、ポリカーボネートが好ましい。時計１では、文字板６を透過した光が太陽電池５に到達して、これにより、前述したように電力が生じる。
【００２３】
文字板６は、光を拡散する機能を有するのが好ましい。これにより、文字板６の裏側にある太陽電池５が文字板６を介して視認されるのを防止または抑制することができる。一般的に腕時計では、太陽電池を外部からできる限り視認されないようにするのが好ましいため、時計１のように太陽電池５に対する視認性が抑制された場合、時計１の審美性が向上する。なお、文字板６に光拡散機能を担持させる方法としては、特に限定されず、例えば、文字板６の表側の面６３および裏側の面６４のうちの少なくとも一方に、拡散剤を含む拡散層を形成する方法、偏光フィルムを設置する方法、プリズムとして機能する微小な凹凸を多数形成する方法等が挙げられる。
【００２４】
図２、図５に示すように、文字板６の中心部には、ムーブメント３の軸部３３が挿通する挿通孔６２が形成されている。
また、文字板６の外周部には、その周方向に沿った長尺状をなす複数（図示の構成では４つ）の文字板側突部６１ａ、６１ｂ、６１ｃ、６１ｄが突出形成されている。文字板側突部６１ａ〜６１ｄは、文字板６の周方向に沿って間隔をおいて配置され、文字板側突部６１ａと文字板側突部６１ｃとが挿通孔６２を介して対向しており、文字板側突部６１ｂと文字板側突部６１ｄとが挿通孔６２を介して対向している。
【００２５】
文字板側突部６１ａ、６１ｃには、それぞれ、その長手方向の中央部付近が欠損した欠損部６１１が形成され、文字板側突部６１ｂ、６１ｄには、それぞれ、その長手方向の中央部付近が欠損した欠損部６１２が形成されている。各欠損部６１１、６１２は、それぞれ、文字板６の挿通孔６２側に向かって凹没するように、すなわち、平面視で「Ｕ」字状をなすように形成されている。また、文字板側突部６１ａ、６１ｃに形成れている。各欠損部６１１同士は、互いに大きさが同じであり、各欠損部６１２同士も、互いに大きさが同じであるが、欠損部６１１と欠損部６１２とは、互いに大きさが異なっている（図５参照）。このような欠損部６１１や欠損部６１２には、後述する枠体７のピン７３２または７３３が挿入され、文字板６の固定や位置決めがなされる。
なお、文字板側突部６１ａ〜６１ｄの長さは、互いに同じであってもよいし、異なっていてもよい。また、文字板側突部６１ａ〜６１ｄは、文字板６の中心軸回りに等角度間隔に配置されていてもよいし、そのような配置からズレた図２、図５に示すような配置となっていてもよい。
【００２６】
図２に示すように、時計１では、太陽電池５および文字板６が枠体７によって一括して支持されている。この枠体７は、円環状（リング状）の部材で構成されている。
枠体７は、ムーブメント３に固定される固定部７１ａ、７１ｂと、太陽電池５の太陽電池側突部５１ａ〜５１ｆを挟持する挟持部７２ａ、７２ｂ、７２ｃ、７２ｄと、文字板６の文字板側突部６１ａ〜６１ｄが入り込む凹部７３ａ、７３ｂ、７３ｃ、７３ｄとを有している。
固定部７１ａ、７１ｂは、枠体７の中心軸を介して対向して配置されている。また、固定部７１ａ、７１ｂは、それぞれ、下方に向かって突出形成されている。さらに、固定部７１ａ、７１ｂには、それぞれ、枠体７の中心軸側に向かって突出した爪７１１が形成されている。
【００２７】
一方、ムーブメント３には、その外周部に固定部７１ａ、７１ｂの爪７１１がそれぞれ係合する一対の係合部３５が外側に向かって突出形成されている。これらの係合部３５は、ムーブメント３の中心軸を介して対向して配置されている。また、これらの係合部３５は、ムーブメント３の周方向で、ピン３４ａ、３４ｂと異なる位置に配置されている。
図２に示すように、ムーブメント３上に太陽電池５を載置した状態で、その上方から枠体７を重ねると、当該枠体７の固定部７１ａの爪７１１が一方の係合部３５に係合し、固定部７１ｂの爪７１１が他方の係合部３５に係合する。これにより、枠体７がムーブメント３に対し固定された状態となる。
【００２８】
挟持部７２ａ〜７２ｄは、それぞれ、ムーブメント３の上面３２との間で太陽電池５の太陽電池側突部５１ａ〜５１ｆを挟持する部分である（図６参照）。図２、図４、図６に示すように、挟持部７２ａ〜７２ｄは、それぞれ、枠体７の内周部に突出形成されている。また、挟持部７２ａ〜７２ｄは、それぞれ、枠体７の周方向に沿って間隔をおいて配置されている。
【００２９】
図２に示すように、挟持部７２ａは、太陽電池５の太陽電池側突部５１ａ、５１ｂを一括して挟持することができる。挟持部７２ｂは、太陽電池側突部５１ｃを挟持することができる。挟持部７２ｃは、太陽電池側突部５１ｄ、５１ｅを一括して挟持することができる。挟持部７２ｄは、太陽電池側突部５１ｆを挟持することができる。このように、時計１では、２つ（３つ以上としてもよい）の太陽電池側突部を挟持する挟持部と、１つの太陽電池側突部を挟持する挟持部とがあり、これらが枠体７の周方向に沿って交互に配置されている。これにより、ムーブメント３に対し、太陽電池５をその周方向に沿って均一に確実に押さえ付けることができ、よって、例えば振動等によって太陽電池５がムーブメント３から不本意に浮き上がるのをより確実に防止することができる。
【００３０】
図２、図５、図７に示すように、凹部７３ａ〜７３ｄは、それぞれ、枠体７の表側の面７４に凹没し、その周方向に沿って間隔をおいて配置されている。凹部７３ａに文字板６の文字板側突部６１ａが入り込むことができ、凹部７３ｂに文字板６の文字板側突部６１ｂが入り込むことができ、凹部７３ｃに文字板６の文字板側突部６１ｃが入り込むことができ、凹部７３ｄに文字板６の文字板側突部６１ｄが入り込むことができる。そして、凹部７３ａ〜７３ｄの深さは、それぞれ、文字板６の厚さ、すなわち、対応する凹部に入り込む文字板側突部の厚さと同じかまたはそれよりも大きい（図７に示す構成では同じ）。これにより、図７に示すように、文字板６の表側の面６３と枠体７の表側の面７４とが同一平面上に位置する、すなわち、時計１の厚さ方向で同じ位置に位置することとなり、よって、文字板６の表側の面６３とベゼル２２の裏面とが接触することでこれらの面に隙間が生じてしまうことを防止することができる。その結果、外観を向上させることができる。これにより、時計１の小型化、薄型化が図れる。
【００３１】
また、図５に示すように、凹部７３ａの枠体７の周方向の長さは、文字板側突部６１ａの文字板６の周方向の長さよりも十分に長く、凹部７３ｂの枠体７の周方向の長さは、文字板側突部６１ｂの文字板６の周方向の長さよりも十分に長く、凹部７３ｃの枠体７の周方向の長さは、文字板側突部６１ｃの文字板６の周方向の長さよりも十分に長く、凹部７３ｄの枠体７の周方向の長さは、文字板側突部６１ｄの文字板６の周方向の長さよりも十分に長い。ここで、「十分に長い」とは、凹部の枠体７の周方向の長さが、それに対応する文字板側突部の文字板６の周方向の長さよりもの５〜２０％長いことを言う。
【００３２】
このような長さの大小関係があることにより、図２に示すように、枠体７に文字板６を重ねて組み立てる際、凹部７３ａ〜７３ｄにそれぞれ文字板側突部６１ａ〜６１ｄが容易に入り込むことができ、よって、その組立作業を容易に行なうことができる。
図２、図４、図５に示すように、凹部７３ａ〜７３ｄと、挟持部７２ａ〜７２ｄとは、枠体の周方向に沿って交互に配置されている。このため、図６、図７に示すように、凹部７３ａ〜７３ｄの底面７３１と、挟持部７２ａ〜７２ｄの裏側の面７２１とは、同一平面上に位置する、すなわち、時計１の厚さ方向で同じ位置に位置することができる。このような位置関係により、太陽電池５の表側の面５３と、その上側に配置された文字板６の裏側の面６４とが互いに当接することができる（図６、図７参照）。
【００３３】
従来の腕時計では、その構造上、太陽電池と文字板との間に間隙が形成されていたが、時計１では、太陽電池５と文字板６とが当接して、前記間隙が生じるのが防止される。このように前記間隙を省略することができるため、その分、時計１の小型化、薄型化が図れる。
また、従来の腕時計では、前記間隙分、時計全体としての厚さが厚くなってしまい、そのため、ガラス板２１と文字板の上面との距離を近接させた場合には、文字板の上面に付与する加飾装要素が限定されてしまい、デザイン制約が生じてしまう場合があった。これに対し、時計１は、薄型化となっているため、従来の時計厚みで構成する場合には、前記加飾要素のデザイン制約が生じるのを防止または抑制することができる。また、従来の腕時計では、時計厚みを薄く見せるために、時針と分針とで時刻表示する２針式で構成することにより、デザイン制約が生じてしまう場合があった。これに対し、時計１は、薄型化となっているため、従来の時計厚みで３針式の時計を構成することができる。
【００３４】
図２、図４、図５に示すように、凹部７３ａ、７３ｃの底面７３１には、ピン７３２が突出して形成され、凹部７３ｂ、７３ｄの底面７３１には、ピン７３３が突出して形成されている。各ピン７３２同士は、互いに大きさ、形状が同じであり、各ピン７３３同士も、互いに大きさ、形状が同じであるが、ピン７３２とピン７３３とは、互いに大きさも形状も異なっている。なお、図示の構成では、ピン７３２とピン７３３とは、枠体７の周方向に沿って交互に配置されたものとなっている。
【００３５】
各ピン７３２は、それぞれ、円柱状をなし、その外径が欠損部６１１の幅と同じかまたは若干小さいものである。そして、凹部７３ａのピン７３２は、文字板側突部６１ａの欠損部６１１に挿入され、凹部７３ｃのピン７３２は、文字板側突部６１ｃの欠損部６１１に挿入される（図２、図５参照）。これにより、枠体７に対し文字板６の面方向の位置決めが行なわれる。このように、各ピン７３２は、それぞれ、位置決め用ピンとして機能する。
【００３６】
また、各ピン７３３は、それぞれ、ほぼ四角柱をなし、その最大幅が欠損部６１２の幅と同じかまたは若干小さいものである。そして、凹部７３ｂのピン７３３は、文字板側突部６１ｂの欠損部６１２に挿入され、凹部７３ｄのピン７３３は、文字板側突部６１ｄの欠損部６１２に挿入される（図２、図５参照）。これにより、文字板６の前記位置決め状態を維持して固定することができる。このように、各ピン７３３は、それぞれ、固定用ピンとして機能する。
【００３７】
このようなピン７３２、７３３が形成されていることにより、枠体７に文字板６を載置した際、枠体７に対する文字板６の位置決めと固定とをほぼ同時に行うことができる。
なお、枠体７の構成材料としては、特に限定されないが、例えば、アルミニウムやステンレス鋼等のような各種金属材料、ポリエチレン、ポリプロピレン等のような各種プラスチック材料が挙げられる。
【００３８】
＜第２実施形態＞
図８は、本発明の時計を腕時計に適用した場合（第２実施形態）の当該腕時計に内蔵されている主な部品の分解斜視図、図９は、図８中の矢印Ｄ方向から見た図（平面図）である。
以下、これらの図を参照して本発明の時計の第２実施形態について説明するが、前述した実施形態との相違点を中心に説明し、同様の事項はその説明を省略する。
【００３９】
本実施形態は、文字板および枠体のそれぞれの平面視での形状が異なること以外は前記第１実施形態と同様である。
図８、図９に示すように、文字板６Ａは、その平面での形状が四角型のものである。
また、枠体７Ａも、文字板６Ａと同様に、その平面での形状が四角型のものである。枠体７Ａでは、各ピン７３２の位置関係および中心軸からの距離が、前記第１実施形態の枠体７での各ピン７３２の位置関係および中心軸からの距離と同じ、すなわち、共通となっている。これにより、ピン７３２同士をつないだ線上の長さが一定の外装部２として、多種多様のバリエーションのものを用意することができる。
【００４０】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
また、本発明の時計は、前記各実施形態のうちの、任意の２以上の構成（特徴）を組み合わせたものであってもよい。
また、文字板および枠体のそれぞれの平面視での形状は、丸型、四角型の他、オーバル型であってもよい。
【符号の説明】
【００４１】
１……腕時計（時計）  ２……外装部（ケース）  ２１……カバーガラス  ２２……ベゼル  ２３……胴部  ２４……りゅうず  ２５……裏蓋  ３……ムーブメント  ３１……時計用針（指針）  ３２……上面  ３３……軸部  ３４ａ、３４ｂ……ピン  ３４１……根元部  ３５……係合部  ４……バンド  ５……太陽電池  ５１ａ、５１ｂ、５１ｃ、５１ｄ、５１ｅ、５１ｆ……太陽電池側突部  ５１１……欠損部  ５２……挿通孔  ５３……表側の面  ６、６Ａ……文字板  ６１ａ、６１ｂ、６１ｃ、６１ｄ……文字板側突部  ６１１、６１２……欠損部  ６２……挿通孔  ６３……表側の面  ６４……裏側の面  ７、７Ａ……枠体  ７１ａ、７１ｂ……固定部  ７１１……爪  ７２ａ、７２ｂ、７２ｃ、７２ｄ……挟持部  ７２１……裏側の面  ７３ａ、７３ｂ、７３ｃ、７３ｄ……凹部  ７３１……底面  ７３２、７３３……ピン  ７４……表側の面
【図１】
0005482224.tif 000002
【図２】
0005482224.tif 000003
【図３】
0005482224.tif 000004
【図４】
0005482224.tif 000005
【図５】
0005482224.tif 000006
【図６】
0005482224.tif 000007
【図７】
0005482224.tif 000008
【図８】
0005482224.tif 000009
【図９】
0005482224.tif 000010